(57)【要約】【課題】短時間でデジタルＴＶ放送が行われているか否かを判定することを可能とするデジタルＴＶ受信機等のデジタルデータ受信機を提供することを目的とする。【解決手段】チューナ部(１０)と、チューナ部が同調したチャンネルの受信信号に基づいて、アナログＴＶ放送信号の有無を検出するためのアナログＴＶ検出部（２０）と、アナログＴＶ検出部がアナログＴＶ放送信号を検出した場合にチューナ部が同調したチャンネルにはデジタルＴＶ放送信号が存在しないと判断する制御部（４０）を有することを特徴とするデジタルデータ受信機(１００)。【選択図】図１
2007208411.tif 000002
【特許請求の範囲】
【請求項１】
チューナ部と、
前記チューナ部が同調したチャンネルの受信信号に基づいて、アナログＴＶ放送信号の有無を検出するためのアナログＴＶ検出部と、
前記アナログＴＶ検出部がアナログＴＶ放送信号を検出した場合に、前記チューナ部が同調したチャンネルにはデジタルＴＶ放送信号が存在しないと判断する制御部と、
を有することを特徴とするデジタルデータ受信機。
【請求項２】
前記アナログＴＶ検出部は、前記受信信号を復調することによって生成した複数のフレーム画像間の相関によって、アナログＴＶ放送信号の有無を検出する、請求項１に記載のデジタルデータ受信機。
【請求項３】
前記アナログＴＶ検出部は、１フレーム画像の水平１ライン又は複数ライン上の画素データの平均値、最大値、最小値又は特性値に基づいて、前記複数のフレーム画像間の相関を判定する、請求項２に記載のデジタルデータ受信機。
【請求項４】
前記アナログＴＶ検出部は、平均値、最大値、最小値又は特性値を求めるラインを、１フレーム画像の上部又は下部から選択する、請求項３に記載のデジタルデータ受信機。
【請求項５】
前記アナログＴＶ検出部は、前記複数のフレーム画像間の相関が無いと判定した場合、シーンチェンジが発生したものと仮定して、再度他の複数のフレーム画像間の相関によって、アナログＴＶ放送信号の有無を検出する、請求項１〜４の何れか一項に記載のデジタルデータ受信機。
【請求項６】
前記制御部は、前記アナログＴＶ検出部の検出結果に基づいて、チャンネルサーチを行い、受信可能なデジタルＴＶ放送チャンネルを検索する、請求項１〜５の何れか一項に記載のデジタルデータ受信機。
【発明の詳細な説明】
【技術分野】
【０００１】
本発明は、デジタルＴＶ受信機等のデジタルデータ受信機に関し、特に受信可能なデジタルＴＶのチャンネルを検出することができるデジタルデータ受信機に関するものである。
【背景技術】
【０００２】
日本の地上デジタルＴＶ放送では、多数のチャンネル（例えば、１３〜５９ｃｈ）で放送が行われる予定であるが、当面の間同様のチャンネル範囲内でアナログ放送も継続される。また、受信可能なチャンネルは地域毎に異なるので、複数の地域に跨ってデジタルＴＶ放送の受信を行う場合には、事前にチャンネルサーチを行い、受信可能なデジタルＴＶ放送チャンネルはどのチャンネルであるかを予め知っておくことが便利であった。
【発明の開示】
【発明が解決しようとする課題】
【０００３】
しかしながら、特定のチャンネルの放送がデジタルＴＶ放送であるか否かを判断するためには、一度受信信号を同期復調処理等をして、デジタルＴＶ放送用の画像データ又は音声データが存在するか否かを確認する必要があった。そして、デジタルＴＶ放送が行われるチャンネル数が多いことから、これらの処理が必要な受信可能なデジタルＴＶ放送チャンネルはどのチャンネルであるかを予め知っておくためのチャンネルサーチを短時間で行うことは困難であった。特に移動が頻繁に行われ受信可能なデジタルＴＶ放送チャンネルが変る車載用や携帯用のデジタルＴＶ受信機では、このような点が大きな課題となっている。
【０００４】
そこで、本発明は、短時間でデジタルＴＶ放送が行われているチャンネルを検出することを可能とするデジタルＴＶ受信機等のデジタルデータ受信機を提供することを目的とする。
【０００５】
また、本発明は、短時間でチャンネルサーチを行うことを可能とするデジタルＴＶ受信機等のデジタルデータ受信機を提供することを目的とする。
【課題を解決するための手段】
【０００６】
本発明に係るデジタルデータ受信機は、チューナ部と、チューナ部が同調したチャンネルの受信信号に基づいてアナログＴＶ放送信号の有無を検出するためのアナログＴＶ検出部と、アナログＴＶ検出部がアナログＴＶ放送信号を検出した場合にチューナ部が同調したチャンネルにはデジタルＴＶ放送信号が存在しないと判断する制御部を有することを特徴とする。
【０００７】
さらに、本発明に係るデジタルデータ受信機では、アナログＴＶ検出部は、受信信号を復調することによって生成した複数のフレーム画像間の相関によって、アナログＴＶ放送信号の有無を検出することが好ましい。アナログＴＶ放送信号が存在する場合には、複数フレーム画像間に相関関係が生じるので、複数フレーム画像間に相関に基づいて、アナログＴＶ放送信号の有無を判断するように構成した。なお、アナログＴＶ放送信号が所定のチャンネルに存在する場合には、デジタルＴＶ放送信号は存在しないものと判断することができる。
【０００８】
さらに、本発明に係るデジタルデータ受信機では、アナログＴＶ検出部は、１フレーム画像の水平１ライン又は複数ライン上の画素データの平均値、最大値、最小値又は特性値に基づいて、前記複数のフレーム画像間の相関を判定することが好ましい。複数フレーム画像間の相関を取るための簡易且つ確実な方法として、水平１ライン又は複数ライン上の画素データの平均値、最大値、最小値又は特性値に基づいて、複数フレーム画像間の相関関係を判断するように構成した。
【０００９】
さらに、本発明に係るデジタルデータ受信機では、アナログＴＶ検出部は、平均値、最大値、最小値又は特性値を求めるラインを、１フレーム画像の上部又は下部から選択することが好ましい。フレーム画像の上部には時刻表示等がなされる可能性が高く、下部には字幕表示等がなされる可能性が高いので、特徴的な表示によって複数フレーム画像間の相関関係がより明確に判断できるように構成した。
【００１０】
さらに、本発明に係るデジタルデータ受信機では、アナログＴＶ検出部は、複数のフレーム画像間の相関が無いと判定した場合、シーンチェンジが発生したものと仮定して、再度他の複数のフレーム画像間の相関によって、アナログＴＶ放送信号の有無を検出することが好ましい。相関関係を判断するための複数フレーム画像間で番組のシーンチェンジが発生した場合には、アナログＴＶ放送信号が存在するにも拘わらず相関関係が存在しないこととなってしまうので、所定の複数フレーム画像間での相関関係が存在しないと判断した場合でも、再度他の複数のフレーム画像間での相関関係を判断するように構成した。
【００１１】
さらに、本発明に係るデジタルデータ受信機では、アナログＴＶ検出部の検出結果に基づいて、チャンネルサーチを行い、受信可能なデジタルＴＶ放送チャンネルを検索することが好ましい。
【発明の効果】
【００１２】
本発明に係るデジタルデータ受信機によれば、アナログＴＶ放送の有無を検出してデジタルＴＶ放送の有無を間接的に判断するので、短時間でデジタルＴＶ放送が行われているか否かを判定することが可能となった。
【００１３】
また、本発明に係るデジタルデータ受信機によれば、アナログＴＶ放送の有無を検出してデジタルＴＶ放送の有無を間接的に判断するので、短時間でチャンネルサーチを行い、受信可能なデジタルＴＶ放送チャンネルはどのチャンネルであるかを予め知ることが可能となった。特に、本発明に係るデジタルデータ受信機を車載用や携帯用として利用する場合には、車や人の移動に従って地域が変化し、地域に応じて受信可能なデジタルＴＶ放送チャンネルが変化する可能性がある事から、受信可能なデジタルＴＶ放送チャンネルはどのチャンネルであるかを予め知ることは非常に重要である。
【発明を実施するための最良の形態】
【００１４】
以下図面を参照して、本発明に係るデジタルデータ受信機について説明する。
【００１５】
図１は、本発明の一実施形態に係わるデジタルデータ受信機１００の概略を示すブロック構成図である。
【００１６】
デジタルデータ受信機１００は、ＵＨＦチューナ１０、アナログＴＶ検出部２０、デジタルＴＶ復調部３０、デジタルＴＶサーチ部４０、制御部５０、記憶部５２、Ｉ／Ｏ５４、システムバス５６、多重分離部７０、音声デコーダ７２、音声処理部７４、映像デコーダ７６及び映像処理部７８等から構成されている。
【００１７】
また、デジタルデータ受信機１００は、アンテナ１１０、リモコン１２０、音声出力部１３０及び表示部１４０等と接続されている。また、デジタルデータ受信機１００は、リモコン１２０等に設けられた各種入力装置（ボタン、タッチパネル等）からの操作入力等によって制御されるように構成されている。なお、アンテナ１１０としては、あらゆるタイプ、例えば車両に用いられるフィルムタイプのアンテナを利用することができる。また、デジタルデータ受信機１００は、アンテナ１１０、リモコン１２０、音声出力部１３０及び表示部１４０の何れか１つ又は複数と一体的に構成されても良い。さらに、音声出力部１３０は、車載用の場合には複数、例えば４つのスピーカを含むことが好ましい。
【００１８】
本発明に係るデジタルデータ受信機１００を、車に搭載した場合について以下に説明するが、本発明に係るデジタルデータ受信機１００は、車載用に限定的に利用されるものではなく、他の用途、例えば、住宅用や他の移動手段にも適用可能である。
【００１９】
アンテナ１１０で受信された信号は、ＵＨＦチューナ１０によって選択されたチャンネルに関る受信信号のみが抜き出されて、アナログＴＶ検出部２０及びデジタルＴＶ復調部３０に入力される。また、ＵＨＦチューナ１０は、受信信号レベルを示すＳレベル信号を検出するためのＳレベル検出部１１を内蔵し、Ｓレベル信号をデジタルＴＶサーチ部４０へ出力する。即ち、デジタルＴＶサーチ部４０は、Ｓレベル信号によって、同調されたチャンネルに受信信号が存在するか否かを判断することができる。
【００２０】
アナログＴＶ検出部２０は、受信信号に基づいてアナログＴＶ放送の有無を検出し、検出信号をデジタルＴＶサーチ部４０へ出力する。なお、アナログＴＶ検出部２０の構成についは後述する。
【００２１】
デジタルＴＶ復調部３０は、所謂ＯＦＤＭ（Orthogonal Frequency Division Multiplexing）復調部として機能し、同期処理、検波処理、誤り訂正処理等を行って、ＴＳ（Transport Stream）パケット信号を多重分離部７０へ出力する。多重分離部７０は、受信したＴＳパケット信号を分離して、音声に関するＴＳパケットを音声デコーダ７２へ、映像に関するＴＳパケットを映像デコーダへ、それぞれ出力する。音声デコーダ７２は、ＴＳパケット信号をデコーダして音声データを音声処理部７４へ出力し、音声出力部７４はデジタルデータをアナログデータへ変換する等の処理を行って音声出力部１３０へ出力する。また、映像デコーダ７６は、ＴＳパケット信号をデコーダして映像データを映像処理部７８へ出力し、映像処理部７８は映像データを表示部１４０のサイズ及び／又は性能等に合わせる適合処理等を行って、表示部１４０へ出力する。
【００２２】
デジタルＴＶサーチ部４０は、ＣＰＵ、ＲＡＭ及びＲＯＭ等を含んで構成され、予めインストールされているプログラムにしたがって動作し、リモコン１２０等によるユーザからのチャンネルサーチ指示に基づいてチャンネルサーチを実行する。また、デジタルＴＶサーチ部４０は、Ｓレベル検出部１１からのＳレベル信号、アナログＴＶ検出部２０からのアナログＴＶ検出信号等に基づいて、受信可能なデジタルＴＶ放送チャンネルを判定して、判定結果に関するデータを制御部５０へ出力する。
【００２３】
制御部５０は、ＣＰＵ、ＲＡＭ及びＲＯＭ等を含んで構成され、予めインストールされているプログラムにしたがって動作し、システムバス５６を介して、デジタルデータ受信機１００の全体制御を行う。
【００２４】
図２は、アナログＴＶ検出部の概略を示すブロック構成図である。
【００２５】
アナログＴＶ検出部２０は、受信信号をＡＭ復調してコンポジット信号を出力するＡＭ復調部２１、コンポジット信号をＹ信号（輝度信号）とＣ信号（搬送色信号）に分離するＹＣ分離部２２、Ｙ信号及びＣ信号からＲＧＢ信号を生成するＲＧＢデコーダ２３、Ｙ信号及びＣ信号から垂直同期信号を生成する同期分離部２４、及びアナログ放送有無判定部６０等を有している。
【００２６】
アナログ放送有無判定部６０は、ＲＧＢデコーダ２３からのＲＧＢ画素データ及び同期分離部２４からの同期信号に基づいて２つのフレーム画像間の特性を検出する特性検出部６１、特性検出部６１で検出した特性（所定のラインの濃度の平均値、最大値、最小値、特性値等）に基づいて２つのフレーム画像間の相関を算出する相関算出部６２、シーンチェンジが起こったか否かの判定を行うシーンチェンジ判定部６３、アナログＴＶ放送が存在するか否かの判定を行う判定部６４等を有している。
【００２７】
図３は、相関算出対象画素データの概要を示す図である。
【００２８】
図３（ａ）は同期分離部２４から出力される垂直同期信号の例であり、図３（ｂ）はＲＧＢデコーダ２３から出力されるＲＧＢ画素データの例を示している。
【００２９】
特定のチャンネルにおいてデジタルＴＶ放送信号が存在する場合、デジタルＴＶ放送信号がＡＭ変調されると全く意味を有しない画素データとなる。したがって、そのような画像データに基づいて構成される２つのフレーム画像間には相関が無い。そこで、アナログ放送有無判定部６０において、原則として２つのフレーム画像間の相関値を求め、相関がある場合には、アナログＴＶ放送信号が存在すると判断し、相関が無い場合には、アナログＴＶ放送信号は存在しないと判定する。
【００３０】
例えば、アナログ放送有無判定部６０は、図３の第１フレーム画像のデータ３０１と第２フレーム画像のデータ３０２との相関値を求め、相関がある場合には、アナログＴＶ放送信号が存在すると判断し、相関が無い場合には、アナログＴＶ放送信号は存在しないと判定する。
【００３１】
しかしながら、特定の２つのフレーム画像がちょうどアナログＴＶ放送において、シーンが変化した所である可能性がある。そこで、特定の２つのフレーム画像間で相関が無い場合には、シーンチェンジ判定部６３において、ちょうどシーンチェンジが発生したものと仮定して、再度次の２つのフレーム画像間について相関値を求める。２度目に相関値を求めた場合でも、依然２つのフレーム画像間に相関が無い場合に、初めてアナログＴＶ放送信号は存在しないと判定する。なお、このような、シーンチェンジ判定部６３を備えた方が、より正確にアナログＴＶ放送の有無を判定することができるが、必ずしも必要ではない。
【００３２】
例えば、アナログ放送有無判定部６０は、図３の第ｍ＋１フレーム画像のデータ３１１と第ｍ＋２フレーム画像のデータ３１２との相関値を求め、相関が無い場合には、シーンチャンジが発生したものと仮定して、再度図３の第ｍ＋２フレーム画像のデータ３１２と第ｍ＋３フレーム画像のデータ３１３との相関値を求め、相関がある場合にはアナログＴＶ放送信号が存在すると判断し、相関が無い場合には、アナログＴＶ放送信号は存在しないと判断する。
【００３３】
図４は、表示部１４０に表示されるフレーム画像の一例を示す図である。
【００３４】
１フレーム画像４００は、例えば５２５本の走査線から構成されるが、その場合、実際に映像情報が乗る有効走査線は約４８０本程度である。特性検出部６１では、その内の１本の走査線に乗っている画素データを用いて所定のフレーム画像の特性を検出する。特性を検出する走査線は、２つのフレーム画像間の同じ場所である必要がある。また、特性は、１本の走査線に乗っている全画素データの平均値、１本の走査線に乗っている全画素データの最大値、１本の走査線に乗っている全画素データの最小値、及び１本の走査線に乗っている全画素データの内の特定の条件（所定濃度以上）を満たす画素数等であることが好ましい。なお、本発明に係るデジタルデータ受信機１００では、１本の走査線に乗っている全画素データの最大値を特性検出部６１において検出するように構成したが、前述したように、平均値、最小値、特定の条件を満たす画素数等の何れか１つ、又は複数を検出するように構成することができる。
【００３５】
また、１本の走査線は、フレーム画像の上位１／３の第１の領域４０１、中位１／３の第２の領域４０２、及び下位１／３の第３の領域４０３から選択することができる。しかしながら、最大輝度を得られ易い白地による時間情報４１０が表示される可能性が高い第１の領域４０１又は最大輝度を得られ易い白地による字幕情報４２０が表示される可能性が高い第３の領域４０３を選択することが好ましい。デジタルデータ受信機１００では、第１の領域４０１に含まれる所定の１本を選択して特性検出を行うように構成した。
【００３６】
なお、上記の説明では、１本の走査線（水平１ライン）上の画素データを利用することについて説明したが、１本の走査線ではなく、複数の走査線（例えば、３本）上の画素データを利用するように構成しても良い。また、１本又は複数本の走査線上の全ての画素データを利用せず、その一部のみを利用するように構成しても良い。
【００３７】
さらに、上記の説明では、２つのフレーム画像間の相関について説明したが、３以上のフレーム画像間の相関を用いて、アナログＴＶ放送の有無を判定するように構成しても良い。
【００３８】
図５は、本発明に係る制御フローの一例を示す図である。
【００３９】
図５に示す制御フローは、制御部５０が、予めインストールされたプログラムに従い、デジタルＴＶサーチ部４０等のデジタルデータ受信機１００の各要素と連携して実行する。また、デジタルデータ受信機１００は、電源がＯＮされ、各種機能が動作可能な状況でチャンネル切替操作が行われた時に実行される。なお、これらの処理は、制御部５０により実行されるが、説明を判り易くするために、制御される各部の動作に基づき説明を行う。
【００４０】
最初に、デジタルＴＶサーチ部４０は、制御部５０がリモコン１２０によるユーザのチャンネルサーチ指示を受信することによってチャンネルサーチを開始する（Ｓ１）。
【００４１】
次に、デジタルＴＶサーチ部４０は、ＵＨＦチューナ１０を制御して、所定のｎチャンネルに同調させ（Ｓ２）、ｎチャンネルにおけるＳレベル信号をＳレベル検出回路１１から取得する（Ｓ３）。
【００４２】
次に、デジタルＴＶサーチ部４０は、取得したＳレベル信号が、所定のレベル以上か否かの判断を行う（Ｓ４）。ここでは、選択したｎチャンネルに放送信号があるか否かの判断のために、Ｓレベル信号を利用している。即ち、放送信号が無い場合には、アナログＴＶ放送信号か否かの判断をするまでもなく、選択したｎチャンネルには受信可能なデジタルＴＶ放送信号は無いと判断することができる。したがって、Ｓ４において、Ｓレベル信号が所定レベル未満の場合には、次のチャンネルに移行するために「ｎ＝ｎ＋１」として（Ｓ５）、Ｓ２〜Ｓ４のステップを繰り返す。
【００４３】
また、デジタルＴＶサーチ部４０は、Ｓ４において、Ｓレベル信号が所定レベル以上の場合には、何らかの放送信号が存在するものとして、アナログＴＶ放送の有無の検出結果を利用する。
【００４４】
アナログＴＶ検出部２０では、特性検出部６１において２つのフレーム画像の特性を検出する（Ｓ６）。例えば、特性検出部６１は、ｍ＋１フレーム画像の第１領域にある１本の走査線上の画素データ３１１の最大値ＭＡＸ１と、ｍ＋２フレーム画像の第１領域にある１本の走査線上の画素データ３１２の最大値ＭＡＸ２とを取得する。
【００４５】
次に、アナログＴＶ検出部２０では、相関算出部６２においてＳ６で取得した特性を利用して相関値を計算する（Ｓ７）。例えば、相関算出部６２は、所定の演算式を利用して、最大値ＭＡＸ１及び最大値ＭＡＸ２の相関値を算出する。
【００４６】
次に、アナログＴＶ検出部２０では、判定部６４においてＳ７で計算された相関値によって、２つのフレーム画像間に相関があるか否かの判定を行い、その旨の信号をデジタルＴＶサーチ部４０へ出力する（Ｓ８）。Ｓ８において相関があると判定された場合には、ＴＶサーチ部４０は、現在選択されているｎチャンネルはアナログＴＶ放送信号が存在するので、当該チャンネルにはデジタルＴＶ放送信号は存在しないと判断する(Ｓ９)。
【００４７】
Ｓ８において相関がないと判断された場合には、アナログＴＶ検出部２０のシーンチェンジ判定部６３では、シーンチェンジか否かの判定を行う（Ｓ１０）。具体的は、所定の２つのフレーム画像間に相関が無いと判断された場合には、自動的にシーンチェンジが発生したと判断し、１回目の相関無し判定が発生したことのフラグ等を立てる。
【００４８】
次に、アナログＴＶ検出部２０では、特性検出部６１において一つずらしたフレーム画像間における特性を検出するために「ｍ＝ｍ＋１」として（Ｓ１１）、Ｓ６に戻る。例えば、特性検出部６１においてｍ＋２フレーム画像の第１領域にある１本の走査線上の画素データ３１２の最大値ＭＡＸ２と、ｍ＋３フレーム画像の第１領域にある１本の走査線上の画素データ３１３の最大値ＭＡＸ３とを取得し（Ｓ６）、相関算出部６２において最大値ＭＡＸ２及び最大値ＭＡＸ３の相関値を算出し（Ｓ７）、判定部６４においてｍ＋２フレーム画像とｍ＋３フレーム画像に相関があるか否かを判定し、その旨の信号をデジタルＴＶサーチ部４０へ出力する（Ｓ８）。
【００４９】
２回目の判定ではＳ１０はスキップされて、相関があると判定された場合には、デジタルＴＶサーチ部４０は、現在選択されているｎチャンネルはアナログＴＶ放送信号が存在するので、当該チャンネルにはデジタルＴＶ放送信号は存在しないと判断する(Ｓ９)。また、２回目の判定ではＳ１０はスキップされて、相関が無いと判定された場合には、デジタルＴＶサーチ部４０は、現在選択されているｎチャンネルはアナログＴＶ放送信号が存在しないので、当該チャンネルにはデジタルＴＶ放送信号は存在すると判断する(Ｓ１２)。
【００５０】
次に、デジタルＴＶサーチ部４０は、チャンネルサーチ終了か否かの判断を行い（Ｓ１３）、終了の場合には、一連のチャンネルサーチを終了する。終了でない場合には、次のチャンネルについて同様の処理を進めるべく、「ｎ＝ｎ＋１」として（Ｓ１４）、Ｓ２〜Ｓ１３を繰り返す。
【００５１】
なお、チャンネルサーチが終了か否かの判断は、チャンネル数等に基づいて行うことができる。即ち、現在予定されているデジタルＴＶ放送チャンネルは１３〜５９ｃｈであるので、チャンネル１３からサーチを開始した場合には、ｎ＝５９となったらチャンネルサーチを終了するように構成すれば良い。また、予めデジタルＴＶ放送がなされている可能性があるチャンネルが分かっている場合には、それらのチャンネルを登録し、登録されたチャンネルのみについて次々とＳ２〜Ｓ１４の処理を繰り返すようにすれば良い。
【００５２】
図６は、チャンネルサーチ結果の表示例を示す図である。
【００５３】
表示部１４０の表示画面６００中には、現在選択されているチャンネル（１３ｃｈ）の映像６０１、アップキー６０２、ダウンキー６０３、プリセットキー表示スペース６１０〜６１９が表示されている。ここでは、チャンネルサーチの結果、表示可能なデジタルＴＶ放送のチャンネルが１３、１５、１７、１９、２１及び２３であることが判断され、プリセットキーとして、６１０〜６１５に表示されている状態を示している。６１１〜６１９は何のチャンネルもプリセットされていない状態を示している。
【００５４】
チャンネルサーチの結果、表示可能なデジタルＴＶ放送のチャンネルが図６に示すように、プリセットされるので、ユーザがこれらのキーを選択することによって、表示可能なデジタルＴＶ放送を容易かつ短時間で選択することが可能となった。
【００５５】
上記では、画像表示を伴うデジタルＴＶ受信機に基づいて本発明を説明したが、本発明はＴＶの音声のみを出力する受信機、デジタル放送波に含まれる各種データ（文字情報、ＴＶとは別の音声情報等）を出力する受信機等においても、アナログＴＶ放送信号を検出することによって同様に、適用することが可能である。
【図面の簡単な説明】
【００５６】
【図１】本発明に係わるデジタルデータ受信機１００の概略を示すブロック構成図である。
【図２】アナログＴＶ検出部の概略を示すブロック構成図である。
【図３】相関算出対象画素データの概要を示す図である。
【図４】フレーム画像の一例を示す図である。
【図５】本発明に係る制御フローの一例を示す図である。
【図６】チャンネルサーチ結果の表示例を示す図である。
【符号の説明】
【００５７】
１０    ＵＨＦチューナ
１１    Ｓレベル検出部
２０    アナログＴＶ検出部
２１    ＡＭ復調部
２２    ＹＣ分離部
２３    ＲＧＢデコーダ
２４    同期分離部
３０    デジタルＴＶ復調部
４０    デジタルＴＶサーチ部
６０    処理部
６１    特性検出部
６２    相関算出部
６３    シーンチェンジ判定部
６４    判定部
１１０    アンテナ
１２０    リモコン
【図１】
2007208411.tif 000003
【図２】
2007208411.tif 000004
【図３】
2007208411.tif 000005
【図４】
2007208411.tif 000006
【図５】
2007208411.tif 000007
【図６】
2007208411.tif 000008